(57)【特許請求の範囲】
【請求項１】
ＤＣ-ＤＣパワーコンバータのための外部駆動型同期整流回路であって
１次巻線と第１及び第２の端子を有する２次巻線とを有する第１の変圧器と、
前記２次巻線の前記第１の端子に動作的に結合されている第１の同期整流器と、
前記２次巻線の前記第２の端子に動作的に結合されている第２の同期整流器と、
前記第１及び第２の同期整流器に動作的に結合され、前記第１及び第２の同期整流器をオン及びオフさせるタイミング信号を供給する外部駆動回路と、
前記第１及び第２の同期整流器に結合され、前記第１及び第２の同期整流器の入力容量の充放電に関連してエネルギーを蓄えるように構成されたエネルギー回復回路と、
前記エネルギー回復回路に結合され、整流された電圧波形を受け取るための正の端部とリターン端部とを有する出力電圧端子と、
を具備することを特徴とする外部駆動型同期整流回路。
【請求項２】
前記外部駆動回路は１次巻線及び２次巻線を有する第２の変圧器を含み、
前記第２の変圧器の前記２次巻線は前記タイミング信号を前記第１及び第２の同期整流器に供給する第１及び第２の端子を有することを特徴とする請求項１に記載の外部駆動型同期整流回路。
【請求項３】
さらに、
ゲートを有し、電圧源に結合される第１のスイッチと、
ゲートを有し、電圧源に結合される第２のスイッチと、
前記第１のスイッチの前記ゲートと前記第２の変圧器の前記２次巻線の前記第１の端子との間に直列に接続される第１の抵抗と、
前記第２のスイッチの前記ゲートと前記第２の変圧器の前記２次巻線の前記第２の端子との間に直列に接続される第２の抵抗と、を具備することを特徴とする請求項２に記載の外部駆動型同期整流回路。
【請求項４】
前記第１及び第２の同期整流器は第１、第２及び第３の端子を有する電界効果トランジスタであることを特徴とする請求項１に記載の外部駆動型同期整流回路。
【請求項５】
前記エネルギー回復回路はさらに、
第１及び第２の端子を有する第１の共振インダクターと、
前記第１の同期整流器の第１の端子に接続され、前記第１の共振インダクターに電流を供給するように配された第１の一対のダイオードと、
前記第２の同期整流器の第１の端子に接続され、前記第１の共振インダクターに電流を供給するように配された第２の一対のダイオードと、
を具備することを特徴とする請求項２に記載の外部駆動型同期整流回路。
【請求項６】
さらに、
第１の共振インダクターと、前記第２の変圧器の前記２次巻線の前記第１の端子とに動作的に結合され、タイミング信号を得る第１の回復スイッチと、
第２の共振インダクターと、前記第２の変圧器の前記２次巻線の前記第２の端子とに動作的に結合され、タイミング信号を得る第２の回復スイッチと、
を具備することを特徴とする請求項５に記載の外部駆動型同期整流回路。
【請求項７】
さらに、
前記第２の変圧器の前記２次巻線に接続された中間タップと、
前記中間タップに結合された第１の端子と前記出力電圧端子に結合された第２の端子とを有する出力インダクターと、
を具備することを特徴とする請求項２に記載の外部駆動型同期整流回路。
【請求項８】
前記出力インダクターは、さらに前記第１及び第２の同期整流器に適正な充電パルスを供給するように構成された補助巻線を具備することを特徴とする請求項７に記載の外部駆動型同期整流回路。
【請求項９】
前記補助巻線は前記出力電圧端子の前記正の端部に結合され、前記補助巻線の巻線数は低電圧同期整流回路のために減らされることを特徴とする請求項８に記載の外部駆動型同期整流回路。
【請求項１０】
さらに、
第１及び第２の回復スイッチと、
該第１及び第２の回復スイッチに結合された補助巻線ダイオードと、
前記補助巻線ダイオードに直列に結合された補助容量と、
を具備することを特徴とする請求項９に記載の外部駆動型同期整流回路。
【請求項１１】
さらに、
第２の補助巻線を具備し、
前記エネルギー回復回路は半波整流器として機能することを特徴とする請求項８に記載の外部駆動型同期整流回路。
【請求項１２】
第１の変圧器と、第１及び第２の同期整流器と、出力電圧端子と、前記第１及び第２の同期整流器を駆動するためのタイミング信号を供給するように構成された外部駆動回路と、を有してなる外部駆動型同期整流回路のためのエネルギー回復回路であって、前記エネルギー回復回路は、
それぞれ第１及び第２の端子を有する第１及び第２の共振インダクターと、
前記第１及び第２の共振インダクタの対応する第１の端子に結合された第１及び第２の回復スイッチと、
前記第１の共振インダクターの前記第２の端子に電流を供給するように配された第１の一対のダイオードと、  
前記第２の共振インダクターの前記第２の端子に電流を供給するように配された第２の一対のダイオードと、
を具備し、
前記第１及び第２の回復スイッチは前記第１及び第２の同期整流器を充放電するのに用いられるエネルギーを回復するために前記第１及び第２の共振インダクターに電流を供給するようにさらに前記外部駆動回路に結合されることを特徴とするエネルギー回復回路。
【請求項１３】
さらに、
前記第１及び第２の回復スイッチに結合された蓄積インダクターと、
前記蓄積インダクターに直列に結合された出力ダイオードと、
を具備し、
前記出力ダイオードはさらに前記第１及び第２の回復スイッチにエネルギーが戻ることを防止するように構成されたことを特徴とする請求項１２に記載のエネルギー回復回路。
【請求項１４】
さらに、
前記第１及び第２の回復スイッチに結合され、前記第１及び第２の回復スイッチのタイミング動作を実行するように構成された第１及び第２の抵抗を具備することを特徴とする請求項１２に記載のエネルギー回復回路。
【請求項１５】
さらに、
前記第１の同期整流器と前記第１の一対のダイオードの一方との間に動作的に配置された第３の回復スイッチと、
前記第２の同期整流器と前記第１の一対のダイオードの他方との間に動作的に配置された第４の回復スイッチと、
を具備し、
前記第１及び第２の同期整流器にかかる電圧が前記第３及び第４の回復スイッチの動作による供給電圧以外の電圧に制限されることを特徴とする請求項１２に記載のエネルギー回復回路。
【請求項１６】
前記第１及び第２の回復スイッチはＭＯＳ電界効果型トランジスターであることを特徴とする請求項１２に記載のエネルギー回復回路。
【請求項１７】
第１及び第２の同期整流器、及び出力端子を有する自己駆動型同期整流回路とともに用いられるエネルギー回復回路のためのエネルギー回復方法であって、前記エネルギー回復回路は第１及び第２のスイッチと、少なくとも１つの蓄積インダクターを有してなり、前記方法は、
前記第１及び第２の同期整流器のエネルギーを前記蓄積インダクターに取り込むステップと、
前記蓄積インダクターに蓄積されたエネルギーをスイッチング素子を通して回復するステップと、
前記第１及び第２の同期整流器の両端電圧を制御するステップと、
前記蓄積インダクターから前記出力端子に蓄積されたエネルギーを転送するステップと，
を有することを特徴とするエネルギー回復方法。
【請求項１８】
前記第１及び第２の同期整流器のエネルギーを取り込むステップは前記第１及び第２の同期整流器の充電エネルギーを取り込むステップを含むことを特徴とする請求項１７に記載のエネルギー回復方法。
【請求項１９】
前記第１及び第２の同期整流器のエネルギーを取り込むステップは前記第１及び第２の同期整流器の放電エネルギーを取り込むステップを含むことを特徴とする請求項１７に記載のエネルギー回復方法。
【発明の詳細な説明】
【０００１】
発明の属する技術分野
本発明は、主にＤＣ−ＤＣコンバータに関するものであり、特に、外部駆動回路を用いた同期整流器のための共振ゲート駆動装置に関するものである。
【０００２】
発明の背景
論理集積回路（ＩＣｓ）が、より高い動作周波数を求めて、より低い動作電圧に移行するにつれ、システム全体の大きさは減少し続けており、より小さくて高効率の電力モジュールを備える電力供給設計が要求されている。効率を向上させ、電力効率を上げるためには、同期整流がこれらのタイプの適用に必要となる。同期整流は、低電圧半導体デバイスが進歩して、この同期整流が実行可能な技術となったので、ここ10年間で大きく普及が進んできている。しかしながら、動作周波数の増加に伴って、スイッチング損失が重要視されている。
【０００３】
同期整流を用いて適用するには、整流器の入力キャパシタンスの充放電によって失われるエネルギが問題となりうる。同期整流を最大限に活かすためには、ドレインからソースまでの抵抗が低い素子を選択する必要がある。しかしながら、ドレインからソースまでの抵抗が低いと、通常、比較的大きなダイと大きな入力キャパシタンスとを持つデバイスとなってしまう。さらに、入力キャパシタンスは、ナノ秒で充放電される必要がある。これは、動作周波数が増加するにつれて、ゲート駆動型回路に係る損失が問題となることを意味する。
【０００４】
電流及び電圧のオーバーラップによるスイッチング損失、及び、典型的な半導体デバイスの出力キャパシタンスによるスイッチング損失を低減するために、諸形態が提案されている。“A MOS gate drive with resonant transitions”,IEEE PESC 91 Conference Proceedings, PP.527-532, D.Maksimovic では、準方形波電力変換に基づいて駆動する共振ゲートが示されている。この解決方法は、低損失でＭＯＳ型デバイスの入力キャパシタンスを充放電するための方法を提供しているが、多くの電流が流れるという点が犠牲になっている。ゼロ電圧スイッチングされた（ＺＶＳ）準共振コンバータ（ＱＲＣ）に基づいた同様の発想が“Novel High Efficiency Base Drive Using Zero Voltage Switching Converter”,IEEE PESC 91 Conference Proceedins, pp.545-550 by H.S.Kim et al. に示されている。A power supply circuit disclosed in DE4315906A1(17 November 1994)は外部駆動型ＤＣ−ＤＣ電力コンバータ中の整流器構造をスイッチングするための論理回路を用いている。電流分散構造を自由に流れる電流を制御するために使用される入力エネルギを蓄えるために誘導性ストレージ素子が用いられている。これらの解決方法は、充放電のエネルギの大部分が回復されるレベルの効率までには及ばない。B.S. Jacobson に示されており、“High Frequency Resonant Gate Driver With Partial Energy Recovery”, High Frequency Power Conversion Conference Proceedings 1993, pp.133-141では、充放電エネルギの一部が回復される解決方法を示している。この解決方法は、その基本動作のために、メガヘルツ領域でのスイッチング周波数により適しているため、結果として同期整流回路での使用を制限する。必要とされるものは、流れているエネルギの多くを失うことなく、メガヘルツ領域外のスイッチング周波数を用いても効率のよい使用が可能である外部駆動型同期整流回路のための共振ゲート駆動装置である。
【０００５】
本発明は、同期整流器（非自己駆動型での適用）を駆動するために必要な外部駆動回路の適用に使用可能である新しいゲート駆動装置の構造に関するものである。
【０００６】
発明の概要
本発明は、あらゆるタイプの形態に容易に適用可能な外部駆動型同期整流方式を利用した共振ゲート駆動装置として、技術的な利点を得る。
【０００７】
第１の実施の形態によれば、ＤＣ−ＤＣ電力コンバータのための外部駆動型同期整流回路の共振ゲート駆動装置が開示されている。同期整流回路は、第２変圧器と、第１、第２同期整流器と、第１変圧器と、出力端子とを有する外部駆動回路によって構成される。共振ゲート駆動装置は、同期整流器の各々のためのエネルギ回復回路を含む。回復回路の各々は、第１、第２同期整流器ダイオードと、回復スイッチと、共振インダクタとで構成される。第１同期整流器ダイオードは、同期整流器にかかる電圧を調整するよう構成される。共振インダクタは、同期整流器の入力キャパシタンスを充放電するときに逃げるエネルギを蓄えるために用いられる。第２同期整流器ダイオードは、ある条件下で、同期整流器にエネルギが戻るのを防ぐために、共振インダクタと同期整流器との間に結合される。共振インダクタは、共振インダクタに蓄えられたエネルギを出力に転送する回復スイッチに結合され、その結果、同期整流回路をよりエネルギ効率の高いものとする。
【０００８】
第２の実施の形態によれば、各々の整流器のためのエネルギ回復回路は、回復回路の第１同期整流器ダイオードに結合される付加的な抵抗を含む。付加的な抵抗は、第１同期ダイオードを通って逆方向に電流が流れる状態で、回路が正しく動作することを保証する。その結果、不正確な時間で再度ターンオンする同期整流器の入力キャパシタンスを再充電する。抵抗を追加することによって、同期整流器のゲートにかかる電圧はゼロよりも下に振れることが可能となり、逆方向電流の原因となる。
【０００９】
第３の実施の形態によれば、エネルギ回復のための回路は、同期整流器にかかる電圧を同期整流器の入力電圧とは異なる値に制限するために、Ｎ型ＭＯＳＦＥＴを用いる。
【００１０】
第４の実施の形態によれば、エネルギ回復のための回路は、ゲートキャパシタンスを充電するエネルギが回復されるように、同期整流器のゲートキャパシタンスを充電ための補助巻線を用いる。補助巻線によって、同期整流器のための適正な充電パルスが容易に実現できる。
【００１１】
また、外部駆動型同期整流回路のエネルギを回復する方法を開示している。この方法は、少なくとも１つのインダクタで同期整流器の入力キャパシタンスからエネルギを取り込む工程と、回復スイッチがターンオフしているときに、ストレージインダクタから出力へエネルギを転送する工程とを含む。この方法は、同期整流器を充放電するために必要なエネルギを回復する工程をも含む。
【００１２】
好適な実施の形態の詳細な説明
以下は本発明の構成及び方法の説明である。最初に、従来技術の回路について議論し、その後、本発明のいくつかの好適な実施形態及び他の実施形態の説明、及びその利点についての議論が続く。
【００１３】
図１は、従来技術におけるハードウェアによりスイッチングされる全ブリッジコンバータのための外部駆動型同期整流器の構成を示す図であり、概して１０とラベル付けしている。ここでは、同期整流器ＳＱ１及びＳＱ２、第１、第２巻線１１、１２をぞれぞれ備えた変圧器Ｔｘ、インダクタＬｏ、キャパシタＣｏ、及び外部駆動回路１６が示されている。ＳＱ１及びＳＱ２は、変圧器Ｔｘの第２巻線１２に結合される。同期整流器ＳＱ１及びＳＱ２は、外部駆動回路の変圧器Ｔｓｘに結合され、同期整流器ＳＱ１及びＳＱ２のためのターンオン信号及びターンオフ信号を提供する必要なタイミング信号を駆動する。
【００１４】
従来技術における例が図１に示されている。同期整流器ＳＱ１及びＳＱ２の各々の入力キャパシタンスの充放電に伴う電力損失は、ｆｓ・Ｃｉｓｓ＿ｅｑ・Ｖｇｓ２以上である。ここで、ｆｓは動作周波数、Ｃｉｓｓ＿ｅｑは同期整流器ＳＱ１及びＳＱ２の等価入力キャパシタンス、Ｖｇｓはこのキャパシタンスが充電される電圧を示す。Ｃｉｓｓ＿ｅｑの充放電に伴う電力損失は取り戻されない、すなわち、整流回路１０は全体的に見て非効率的である。従って、必要とされるものは、第１同期整流器ＳＱ１及び第２同期整流器ＳＱ２の入力キャパシタンスＣｉｓｓ＿ｅｑの充放電に伴うエネルギを回復する方法である。
【００１５】
図２Ａは、本発明に係り、エネルギ回復回路２０を備える共振ゲート駆動装置を用いた同期整流回路１８を示す図である。本発明は、放電を開始すると、同期整流器ＳＱ１及びＳＱ２の等価キャパシタンスＣｉｓｓ＿ｅｑに蓄えたれたエネルギを回復する。図に示されるように、エネルギ回復回路２０は、２個の小型の共振インダクタＬＲ１、ＬＲ２、及び、４個のダイオードＤ１，Ｄ２，Ｄ３、Ｄ４によって構成される。共振インダクタＬＲ１、ＬＲ２、及び、ダイオードＤ１，Ｄ２，Ｄ３，Ｄ４は、第１同期整流器ＳＱ１及びＳＱ２を放電するときに発生するエネルギを蓄えるために用いられる。共振インダクタＬＲ１、ＬＲ２からエネルギを外部端子Ｖｏｕｔへ転送するために、共振インダクタＬＲ１、ＬＲ２は、回復スイッチＳＱ３及びＳＱ５に結合される。次に、回復スイッチＳＱ３及びＳＱ５は、外部端子Ｖｏｕｔへ結合される。あらゆる駆動の相互伝導エネルギ及び共振インダクタＬＲ１、ＬＲ２に蓄えられる全てのエネルギは、回復スイッチＳＱ３及びＳＱ４に転送され、次に、外部端子に転送される。その結果、更にエネルギ効率の高い回路が提供される。本実施形態において、同期整流器の入力キャパシタンスを充電するために必要なエネルギは、いかなる方法でも回復されない。
【００１６】
図２Ｂは、第１同期整流器ＳＱ１の放電からエネルギを回復するための本発明の動作を表す基本的な波形を示す図である。時間Ｔ０より前では、両方の同期整流器がオンしており、短絡された第２巻線及び同期整流器ＳＱ１、ＳＱ２を通して、負荷電流が自由に流れる。時間Ｔ０では、第１巻線１１から来た信号が回復スイッチＳＱ３をターンオンする。スイッチＳＱ４はオンしたままなので、共振インダクタＬＲ１を通した電流は増加する。時間Ｔ１では、スイッチＳＱ４はターンオフし、ＬＲ１を通した電流は、同期整流器ＳＱ１の入力キャパシタンスを放電し始める。この段階では、インダクタＬＲ１は、共振によって同期整流器の入力キャパシタンスを放電する。スイッチＳＱ３は、このエネルギを出力端子Ｖｏｕｔへ転送する。この共振によって、共振インダクタＬＲ１がリセットすると、第１同期整流器ＳＱ１のゲートにかかる電圧はグラウンドよりも下に低下する。ダイオードＤ１はこの電圧が負に振れるのを防ぐために設けられている。
【００１７】
時間Ｔ２では、共振インダクタＬＲ１はリセットされ、ダイオードＤ２は共振インダクタと第１同期整流器ＳＱ１との接続を断つ。両方の回復スイッチＳＱ３及びスイッチＳＱ４は、同一の信号によって駆動されているので、回復スイッチＳＱ３のターンオンと回復スイッチＳＱ４のターンオフとの間の遅延は、抵抗Ｒ１及びスイッチＳＱ４の入力キャパシタンスの値によって制御される。回復スイッチＳＱ５及び共振インダクタＬＲ２の動作は、上述の方法と同様にして動作し、第２同期整流器ＳＱ２の放電からのエネルギを回復する。
【００１８】
最も実用的な例では、共振インダクタＬＲ１、ＬＲ２を通る電流は、０に戻るように減少し、ダイオードＤ２、Ｄ４は直ぐにはターンオフせず、電流はダイオードＤ２、Ｄ４を通して逆方向に流れる（これは逆方向回復効果である）。その結果、同期整流器ＳＱ１、ＳＱ２の入力キャパシタンスは再充電される。このキャパシタンスは、１ボルトを超えて再充電される場合には、同期整流器ＳＱ１、ＳＱ２は再びターンオンしようとして、動作不良が生じる。この効果を最小限に抑えるために、図３に示すように、共振インダクタＬＲ１、ＬＲ２の代わりに、飽和可能なインダクタを用いるか、または、抵抗Ｒ３、Ｒ４をダイオードＤ１及びＤ３に直列にそれぞれ設置してもよい。抵抗Ｒ３、Ｒ４を追加することによって、同期整流器ＳＱ１、ＳＱ２にかかる電圧は、グラウンドよりも下に振れることができる。その結果、同期整流器ＳＱ１、ＳＱ２の入力キャパシタンスが再充電されると、ダイオードＤ２、Ｄ３での逆回復効果によって、同期整流器ＳＱ１、ＳＱ２にかかる電圧はグラウンドよりも下にとどまる。これによって、共振整流回路３０のためのエネルギ回復回路の正常な動作が保証される。
【００１９】
２つの共振回路網が融合する場合であっても、図４の共振整流回路に示すように、２つの共振回路網が１つに融合される場合には。本発明によって提供される性能とほとんど同程度の性能が得られうる。図に示されるように、回復スイッチＳＱ３及びＳＱ５の駆動に伴って遅延がさらに加わる。これは、回復スイッチＳＱ３及びＳＱ５は、共振インダクタＬＲ１を通してターンオンされる必要があるからである。抵抗Ｒ１、Ｒ２は、この遅延を補うために容易に再設計可能であり、その結果、同期整流回路４０のための適切なタイミング信号を保証する。
【００２０】
いくつかの適用例では、第２供給電圧Ｖｃｃｓによって与えられる電圧とは異なる電圧を、同期整流器ＳＱ１、ＳＱ２にかける必要がある場合がある。この異なる電圧は、図５に示すような２個のＮ型ＭＯＳＦＥＴをさらに追加することによって提供される。図５では、Ｖｃｃｓ２はＶｃｃｓよりも低い値を持つので、その結果、同期整流器ＳＱ１、ＳＱ２にかかる電圧の充電を制限する。
【００２１】
本発明の前述の実施形態では、同期整流器ＳＱ１、ＳＱ２の放電のみが低損失で実現される（すなわち放電によるエネルギは出力端子Ｖｏｕｔにそのエネルギが転送されることによって回復される）。また、低損失で同期整流器ＳＱ１、ＳＱ２のゲートキャパシタンスを充電することも好ましいのであれば、図６Ａに示すように、同期整流器ＳＱ１、ＳＱ２のための適正な充電パルスを与えるために、付加的な巻線５０が出力インダクタＬｏに追加されてもよい。図６Ｂに示すのは、図６Ａに示される同期整流回路６０の動作を表す典型的な波形である。今度は、駆動装置は、出力インダクタＬｏ中の補助巻線５０によって提供される脈動電源から駆動されることに留意することが重要である。この脈動電源によって、同期整流器ＳＱ１、ＳＱ２のゲートキャパシタンスは低損失で充電されうる。
【００２２】
低電圧の適用に対しては、出力インダクタＬｏ中の補助巻線５０は多数の巻線を持っているので非実用的である。補助巻線中の巻線数を減少させるためには、図７Ａ及び図７Ｂに示す本発明の実施の形態を用いられうる。特に、同期整流回路７０では、図６Ａに示される電圧端子Ｖｏｕｔのリターンに補助巻線５０を結合するのとは対照的に、補助巻線５０は電圧端子Ｖｏｕｔの正の側に結合される。これによって、補助巻線の巻線数を減少できる。
【００２３】
図７Ｂに示される同期整流回路では、脈動電源の電圧は負に振れる必要はない。補助巻線の巻線比が１／（１−Ｖｏ×Ｎ／Ｖｉｎ）よりも小さく、Ｎが第１変圧器の巻線比である場合には、脈動電源の電圧は常に正である。この条件に対して、同期整流器ＳＱ１、ＳＱ２の入力キャパシタンスを低損失で適切に充電することはできない。しかしながら、この条件下でも。同期整流器ＳＱ１、ＳＱ２のキャパシタンスの放電に伴う損失は、実質的に減少される。さらに、この補助巻線５０をグラウンドを基準としないことによって、短絡回路の状態で駆動能力が失われることがない。
【００２４】
全波整流器のための共振ゲート駆動装置の実施形態が示された。しかしながら、本発明は半波整流器及び隔離されていない形態の実装に対して適用可能である。図８は、半波整流器用のための共振ゲート駆動装置の実施形態を示す図である。第２補助巻線５２が半波整流器に対する本発明の適用を容易にするために追加される。さらにまた、両方の共振回路網は結合可能であり、補助巻線５０、５２は上述の回路中の異なる位置を基準とする。
【００２５】
隔離されたステージを持たない降圧コンバータ９０（逓降コンバータ）のための主スイッチ及び同期整流器ＳＱ１、ＳＱ２の入力キャパシタンスに蓄えられた放電エネルギの回復も、本発明の実施の形態を用いて実現可能である。この実施の形態は図９Ａに示される。同期整流器ＳＱ１、ＳＱ２の入力キャパシタンスも図９Ｂに示すように低損失で充電されるのが好ましい。
【００２６】
ここに示した新しい共振ゲート駆動装置によって、同期整流器ＳＱ１、ＳＱ２を充放電するときに生じるエネルギを効率よく回復する利点が得られる。本発明のもう１つの利点は、回路を流れる大量のエネルギを回復できることである。本発明のさらにもう１つの利点は、広範囲のスイッチング周波数において効率よく用いられることである。本発明のさらに他の利点は、様々なタイプのコンバータ形態に本発明を適用可能であることである。
【００２７】
本発明は、例示的な実施形態を参照して記述したが、この記述は限定的に解釈されることを意図するものではない。本発明の他の実施形態はもちろん、例示的な実施形態の組み合わせによる様々な変更は、説明を参照することによって、当業者には明白である。同期整流器ＳＱ１、ＳＱ２及びスイッチＳＱ３、ＳＱ４、ＳＱ５、ＳＱ６は、ＭＯＳＦＥＴとして示されているが、他のタイプのＦＥＴまたはスイッチングデバイスは本発明の利用に適応可能であると考えられる。従って、付属の特許請求の範囲は、このようなあらゆる変更または具体化を包含することを意味する。
【００２８】
本発明の前述の特徴は、添付の図面に係る以下の説明を考慮してより明確に理解されよう。
【００２９】
異なる図面における同様の数字や符号は、指示のない限り同様の部分を示すものとする。
【図面の簡単な説明】
【図１】  外部駆動型同期整流器を備えた従来技術のハードスイッチングされた全ブリッジコンバータを示す図である。
【図２Ａ】  本発明の実施形態を用いた外部駆動型同期整流器を備える全波整流器を示す図である。
【図２Ｂ】  プッシュプル式の形態のための外部駆動型同期整流器の電圧波形を示す図である。
【図３】  逆方向回復制限抵抗を備える本発明の実施の形態に係る外部駆動型同期整流器を示す図である。
【図４】  ２つの共振回路網が融合する場合の本発明の実施の形態に係る外部駆動型同期整流器を示す図である。
【図５】  電圧制限ＭＯＳＦＥＴを備える本発明の第２の実施の形態を示す図である。
【図６Ａ】  補助出力インダクタ巻線を備える本発明の第３の実施の形態を示す図である。
【図６Ｂ】  図７Ａに示す共振ゲート駆動装置の動作を表す典型的な波形を示す図である。
【図７Ａ】  補助出力インダクタ巻線を備える本発明の第４の実施の形態を示す図である。
【図７Ｂ】  補助出力インダクタ巻線を備える本発明の第５の実施の形態を示す図である。
【図８】  本発明を用いた典型的な半波整流器の一例を示す図である。
【図９Ａ】  本発明を用いた降圧型コンバータの一例を示す図である。
【図９Ｂ】  本発明を用いた降圧型コンバータのもう１つ例を示す図である。
【図１】
0004574930.tif 000002
【図２Ａ】
0004574930.tif 000003
【図２Ｂ】
0004574930.tif 000004
【図３】
0004574930.tif 000005
【図４】
0004574930.tif 000006
【図５】
0004574930.tif 000007
【図６Ａ】
0004574930.tif 000008
【図６Ｂ】
0004574930.tif 000009
【図７Ａ】
0004574930.tif 000010
【図７Ｂ】
0004574930.tif 000011
【図８】
0004574930.tif 000012
【図９Ａ】
0004574930.tif 000013
【図９Ｂ】
0004574930.tif 000014